(57)【要約】      （修正有）【課題】短時間でローラー対のそれぞれに洗浄媒体を十分に保持させて被洗浄物を洗浄できる洗浄装置を提供する。【解決手段】洗浄装置１は、洗浄部２０と、洗浄媒体供給部３０と、を有する。洗浄部は、表面に洗浄媒体を保持可能な第１ローラー２１と、第１ローラーの下方に設けられ表面に洗浄媒体を保持可能な第２ローラー２２とを含むローラー対（第１ローラー対２０ａや第２ローラー対２０ｂに相当）を設けている。ローラー対の間に平板状の被洗浄物１１０を通して当該被洗浄物を搬送し、被洗浄物の平面を洗浄する。洗浄媒体供給部は、第１ローラーの上方から、当該第１ローラーの表面に洗浄媒体を供給する。【選択図】図２
2014054589.tif 000002
【特許請求の範囲】
【請求項１】
表面に洗浄媒体を保持可能な第１ローラーと、前記第１ローラーの下方に設けられ表面に洗浄媒体を保持可能な第２ローラーとを含むローラー対の間に平板状の被洗浄物を通して当該被洗浄物を搬送し、前記被洗浄物の平面を洗浄する洗浄部と、
前記第１ローラーの上方から、当該第１ローラーの表面に洗浄媒体を供給する洗浄媒体供給部と、を有する洗浄装置。
【請求項２】
前記洗浄媒体供給部は、重力により前記第１ローラーから下方に移動した前記洗浄媒体を前記第１ローラーへの供給に用いることにより、前記洗浄媒体を循環させる請求項１に記載の洗浄装置。
【請求項３】
前記洗浄媒体供給部は、前記第１ローラーまたは前記第２ローラーから落下した前記洗浄媒体を受けて貯める貯留部を有し、当該貯留部に設けられた所定の高さの側壁から溢れ出した前記洗浄媒体を循環させて用いる請求項２または３に記載の洗浄装置。
【請求項４】
前記洗浄媒体供給部は、
前記貯留部から溢れ出した前記洗浄媒体と共に循環用の洗浄媒体を保存する保存容器と、
前記貯留部から溢れ出した前記洗浄媒体を、前記保存容器の底面近傍まで誘導する誘導部材と、をさらに有する請求項１〜３のいずれか１項に記載の洗浄装置。
【請求項５】
前記ローラー対は、第１ローラー対と、当該第１ローラー対に対して前記被洗浄物の搬送方向下流側に配設される第２ローラー対とを含み、
前記第１ローラー対には前記洗浄媒体として洗浄液が供給され、前記第２ローラー対には前記洗浄媒体として水が供給される請求項１〜４のいずれか１項に記載の洗浄装置。
【請求項６】
前記洗浄媒体供給部は、前記被洗浄物の搬送方向上流側に向かって開口する開口部を有し、前記洗浄液を当該開口部から前記第１ローラー対の前記第１ローラーに供給する請求項５に記載の洗浄装置。
【請求項７】
前記洗浄媒体供給部は、前記被洗浄物の搬送方向下流側に向かって開口する開口部を有し、前記水を当該開口部から前記第２ローラー対の前記第１ローラーに供給する請求項５または６に記載の洗浄装置。
【請求項８】
前記洗浄部は、前記第１ローラー対と前記第２ローラー対との間に配設され、前記被洗浄物を搬送すると共に前記洗浄液を除去する第３ローラー対を有する請求項１〜７のいずれか１項に記載の洗浄装置。
【請求項９】
前記第１ローラー対および前記第２ローラー対の少なくとも一方は、前記被洗浄物の搬送方向に沿って複数組設けられ、
複数組のうち少なくとも２組のローラー対は、異なる回転速度で回転する請求項１〜８のいずれか１項に記載の洗浄装置。
【請求項１０】
前記少なくとも２組のローラー対において、前記被洗浄物の搬送方向の下流側のローラー対の方が、上流側のローラー対よりも早い回転速度で回転する請求項９に記載の洗浄装置。
【請求項１１】
前記少なくとも２組のローラー対において、前記被洗浄物の搬送方向の上流側のローラー対の方が、下流側のローラー対よりも前記被洗浄物を挟持する挟持力が強い請求項９または１０に記載の洗浄装置。
【請求項１２】
前記第１ローラーと前記第２ローラーとは外径が異なる請求項１〜１１のいずれか１項に記載の洗浄装置。
【請求項１３】
前記ローラー対は、複数組設けられ、異なる組間において、前記第１ローラー同士または前記第２ローラー同士を相互に交換可能である請求項１〜１２のいずれか１項に記載の洗浄装置。
【請求項１４】
表面に洗浄媒体を保持する一対のローラー間に平板状の被洗浄物を通して当該被洗浄物を搬送し、前記被洗浄物の平面を洗浄する上流ローラー対と、
前記上流ローラー対に対して、前記被洗浄物の搬送方向の下流側で隣り合い、表面に洗浄媒体を保持する一対のローラー間に平板状の被洗浄物を通して当該被洗浄物を搬送し、前記被洗浄物の平面を洗浄する下流ローラー対と、を有し、
前記第上流ローラー対と前記下流ローラー対とは異なる速度で回転する洗浄装置。
【請求項１５】
前記下流ローラー対の方が、前記上流ローラー対よりも早い回転速度で回転する請求項１４に記載の洗浄装置。
【請求項１６】
前記上流ローラー対の方が、前記下流ローラー対よりも前記被洗浄物を挟持する挟持力が強い請求項１４または１５に記載の洗浄装置。
【請求項１７】
前記上流ローラー対の前記一対のローラー、または前記下流ローラー対の前記一対のローラーは、それぞれ互いに外径が異なる請求項１４〜１６のいずれか１項に記載の洗浄装置。
【請求項１８】
前記一対のローラーは、複数設けられ、異なる組間において、ローラー同士を相互に交換可能である請求項１４〜１７のいずれか１項に記載の洗浄装置。
【発明の詳細な説明】
【技術分野】
【０００１】
本発明は、洗浄装置に関する。
【背景技術】
【０００２】
従来から、記録した情報を更新して繰り返し使用可能な記録媒体が用いられている。このような記録媒体には、たとえば、駅での乗降記録が記録されるカードや、工場内で１つの仕掛品毎に各工程における製造記録が記録されるシートがある。
【０００３】
記録媒体に記録された情報を消去して再利用する場合には、その再利用する記録媒体が清浄であることが求められる。特に、工場内で使用されて油や切削屑が付着しているシートは、洗浄してから再利用することが必要である。
【０００４】
ここで、ローラー対の間にカードを通して、そのカードを洗浄すると共に感熱式で記録されている記録を除去する構成がある（例えば、特許文献１参照。）。
【先行技術文献】
【特許文献】
【０００５】
【特許文献１】特開平１０−８５６８５号公報
【発明の概要】
【発明が解決しようとする課題】
【０００６】
しかしながら、上記特許文献１に記載のカード洗浄器は、洗浄液伝達ローラーを用いているものの、洗浄媒体をローラー対の下方のみから供給していることから、上下に配設されたローラー対のうち、特に上方のローラーに洗浄媒体を十分に保持させることができない虞がある。上方のローラーは、下方のローラーとの接触により、当該下方のローラーから洗浄媒体を受け取るしかできないからである。この場合、その上方ローラーによる被洗浄物の洗浄が不十分となる。
【０００７】
さらに、上記特許文献１に記載のカード洗浄器は、乾燥している上方のローラーに対して、下方のローラーを介して洗浄媒体を供給することから、上方のローラーに洗浄媒体を十分に保持させるまでに時間を要する。したがって、カード洗浄器は、電源を投入して使用可能となるまでに時間が掛かる。
【０００８】
本発明は、上記の課題を解決するためになされたものであり、短時間でローラー対のそれぞれに洗浄媒体を十分に保持させて被洗浄物を洗浄できる洗浄装置の提供を目的とする。
【課題を解決するための手段】
【０００９】
上記目的を達成する本発明に係る洗浄装置は、洗浄部と、洗浄媒体供給部と、を有する。洗浄部は、表面に洗浄媒体を保持可能な第１ローラーと、第１ローラーの下方に設けられ表面に洗浄媒体を保持可能な第２ローラーとを含むローラー対を設けている。ローラー対の間に平板状の被洗浄物を通して当該被洗浄物を搬送し、被洗浄物の平面を洗浄する。洗浄媒体供給部は、第１ローラーの上方から、当該第１ローラーの表面に洗浄媒体を供給する。
【００１０】
また、上記目的を達成する本発明に係る洗浄装置は、第１ローラー対と第２ローラー対とを有している。第１ローラー対は、表面に洗浄媒体を保持する一対のローラー間に平板状の被洗浄物を通して当該被洗浄物を搬送し、被洗浄物の平面を洗浄する。第２ローラー対は、第１ローラー対に対して、被洗浄物の搬送方向の下流側で隣り合い、表面に洗浄媒体を保持する一対のローラー間に平板状の被洗浄物を通して当該被洗浄物を搬送し、被洗浄物の平面を洗浄する。ここで、第１ローラー対と第２ローラー対とは異なる速度で回転する。
【発明の効果】
【００１１】
上記のように構成した洗浄装置によれば、洗浄媒体供給部が、第１ローラーの上方から当該第１ローラーの表面に洗浄媒体を供給する。第１ローラーに供給された洗浄媒体は、第１ローラーが第２ローラーに接触することにより第２ローラーにも供給される。加えて、第１ローラーに供給された洗浄媒体は、重力により第２ローラーに落下することもある。したがって、上方から洗浄媒体が供給される第１ローラーと、第１ローラーの下方に設けられ洗浄媒体が供給される第２ローラーは、短時間でそれぞれ洗浄媒体を十分に保持して、被洗浄物を洗浄できる。
【００１２】
また、上記のように構成した洗浄装置によれば、被洗浄物を搬送する第１ローラー対と第２ローラー対とは異なる速度で回転する。回転速度が異なるので、第２ローラー対および第１ローラー対の一方は、被洗浄物の搬送速度と異なる速度で回転し、被洗浄物の表面を空回りする。被洗浄物の表面において、第１ローラー対または第２ローラー対が空回りすることによって、汚染物を擦り落として効果的に除去できる。
【図面の簡単な説明】
【００１３】
【図１】第１実施形態における洗浄装置を示す斜視図である。
【図２】第１実施形態における洗浄装置を示す側面図である。
【図３】第２実施形態における洗浄装置を示す側面図である。
【発明を実施するための形態】
【００１４】
以下、添付した図面を参照しながら、本発明の実施形態を説明する。図面の説明において同一の要素には同一の符号を付し、重複する説明を省略する。図面における各部材の大きさや比率は、説明の都合上誇張され実際の大きさや比率とは異なる場合がある。
【００１５】
（第１実施形態）
第１実施形態に係る洗浄装置について、図１および図２を参照しながら説明する。
【００１６】
図１は、洗浄装置１を示す斜視図である。図２は、洗浄装置１を示す側面図であり、洗浄媒体供給部３０の一部を透過させて表している。
【００１７】
洗浄装置１は、平板状の被洗浄物１１０を洗浄するための装置である。被洗浄物１１０は、たとえば、加熱によって表面に印字または印字の消去ができ、表面の情報を更新して繰り返し使用可能な記録媒体である。洗浄装置１は、図１および図２に示すように、たとえば、搬入部１０、洗浄部２０、洗浄媒体供給部３０、記録消去部４０、搬出部５０から構成している。以下、洗浄装置１の各構成について、順に説明する。
【００１８】
洗浄装置１の搬入部１０は、被洗浄物１１０を洗浄部２０に搬入する。
【００１９】
具体的には、搬入部１０は、搬入台１１、繰出ローラー１２、上部分離ローラー１３、下部分離ローラー１４、上部搬入ローラー１５、および下部搬入ローラー１６を設けている。搬入台１１は、洗浄前の複数の被洗浄物１１０を積層する。搬入台１１は、図示せぬ押上機構によって、被洗浄物１１０を繰出ローラー１２に付勢させた状態で供給している。繰出ローラー１２は、搬入台１１の上方に設けられ、搬入台１１に載置された被洗浄物１１０を最上部から順次繰り出す。
【００２０】
上部分離ローラー１３および下部分離ローラー１４は、対向して設けられ、繰出ローラー１２から繰り出された被洗浄物１１０を１枚ずつ分離する。上部搬入ローラー１５および下部搬入ローラー１６は、対向して設けられ、上部分離ローラー１３および下部分離ローラー１４で分離された被洗浄物１１０を洗浄部２０に搬入する。
【００２１】
洗浄装置１の洗浄部２０は、被洗浄物１１０を洗浄する。
【００２２】
具体的には、洗浄部２０は、表面に洗浄媒体を保持可能な第１ローラー２１と、第１ローラー２１の下方に設けられ表面に洗浄媒体を保持可能な第２ローラー２２とを含むローラー対（第１ローラー対２０ａや第２ローラー対２０ｂに相当）を設けている。そのローラー対の間に平板状の被洗浄物１１０を通して当該被洗浄物１１０を搬送し、被洗浄物１１０の平面を洗浄する。
【００２３】
第１ローラー２１および第２ローラー２２は、たとえば、それぞれ気孔を有するポリウレタン樹脂からなり円柱状に形成している。第１ローラー２１および第２ローラー２２は、たとえば、それぞれステッピングモーターにより所定の回転速度で回転される。
【００２４】
ローラー対は、被洗浄物１１０の搬送方向に沿って、第１ローラー対２０ａ、第３ローラー対２０ｃ、第２ローラー対２０ｂ、および第４ローラー対２０ｄを含んでいる。第１ローラー対２０ａは、洗浄媒体として洗浄液１０１が供給される。第１ローラー対２０ａは、隣り合わせに２組設けられている。第１ローラー対２０ａは、１組のみ設けてもよいし、隣り合わせに３組以上設けてもよい。
【００２５】
第３ローラー対２０ｃは、第１ローラー対２０ａと後述する第２ローラー対２０ｂとの間に配設され、被洗浄物１１０を搬送すると共に洗浄液１０１を除去する。第３ローラー対２０ｃは、隣り合わせに２組以上設けてもよい。第３ローラー対２０ｃの下方には、絞りローラー２３が付勢して設けられている。絞りローラー２３は、洗浄液１０１を絞り出す。
【００２６】
第２ローラー対２０ｂは、第１ローラー対２０ａに対して被洗浄物１１０の搬送方向下流側に配設され、洗浄媒体として水１０２が供給される。第２ローラー対２０ｂは、隣り合わせに２組設けられている。第２ローラー対２０ｂは、１組のみ設けてもよいし、隣り合わせに３組以上設けてもよい。
【００２７】
第４ローラー対２０ｄは、第２ローラー対２０ｂに対して被洗浄物１１０の搬送方向下流側に配設され、被洗浄物１１０を搬送すると共に水１０２を除去する。第４ローラー対２０ｄは、隣り合わせに２組設けられている。第４ローラー対２０ｄは、１組のみ設けてもよいし、隣り合わせに３組以上設けてもよい。２組の第４ローラー対２０ｄの下方の中央には、絞りローラー２４が付勢して設けられている。絞りローラー２４は、水１０２を絞り出す。
【００２８】
第１ローラー対２０ａ、第３ローラー対２０ｃ、第２ローラー対２０ｂ、および第４ローラー対２０ｄにおいて、第１ローラー２１と第２ローラー２２とはそれぞれ外径が異なる。図１では、第１ローラー２１が第２ローラー２２よりも外径が大きいが、第２ローラー２２が第１ローラー２１よりも外径が大きくなるように構成してもよい。ローラー対は、洗浄装置１から着脱可能に複数組設けられ、異なる組間において、第１ローラー２１同士または第２ローラー２２同士を相互に交換可能である。
【００２９】
洗浄装置１の洗浄媒体供給部３０は、第１ローラー２１の上方から、当該第１ローラー２１の表面に洗浄媒体を供給する。
【００３０】
具体的には、洗浄媒体供給部３０は、重力により第１ローラー２１から下方に移動した洗浄媒体を、再び第１ローラー２１への供給に用いることにより、洗浄媒体を循環させる。洗浄媒体供給部３０は、循環用配管３１および３３、ポンプ３２および３４、貯留部３５、保存容器３６、および誘導部材３７および３８を含んでいる。
【００３１】
循環用配管３１は、被洗浄物１１０の搬送方向上流側に向かって開口する開口部３１ａを有している。循環用配管３１は、ポンプ３２を介して、洗浄液１０１を当該開口部３１ａから第１ローラー対２０ａの第１ローラー２１に供給する。循環用配管３１には、濾過フィルタ３１ｂが設けられている。
【００３２】
循環用配管３３は、被洗浄物１１０の搬送方向下流側に向かって開口する開口部３３ａを有している。循環用配管３３は、ポンプ３４を介して、水１０２を当該開口部３３ａから第２ローラー対２０ｂの第１ローラー２１に供給する。循環用配管３３には、濾過フィルタ３３ｂが設けられている。
【００３３】
貯留部３５は、上部が開口した箱状に形成され、第２ローラー２２の下方に配設されている。貯留部３５は、第１ローラー２１または第２ローラー２２から落下した洗浄媒体を受けて貯める。貯留部３５は、第１ローラー対２０ａおよび第３ローラー対２０ｃ用と、第２ローラー対２０ｂおよび第４ローラー対２０ｄ用に、それぞれ１個設けられている。
【００３４】
保存容器３６は、上部が開口した箱状に形成され、貯留部３５の下方に配設されている。保存容器３６は、貯留部３５に設けられた所定の高さの側壁３５ａから溢れ出した洗浄媒体と共に循環用の洗浄媒体を保存している。保存容器３６には、濾過フィルタ３６ａが設けられている。濾過フィルタ３６ａを透過した洗浄媒体が循環されて用いられる。
【００３５】
誘導部材３７は、円筒状に形成され、貯留部３５に隣接した底面に挿通して配設されている。誘導部材３７は、第１ローラー対２０ａおよび第３ローラー対２０ｃ用に設けられている。この貯留部３５から隣接した底面に溢れ出した洗浄液１０１を、保存容器３６の底面近傍まで誘導して貯める。誘導部材３８は、第２ローラー対２０ｂおよび第４ローラー対２０ｄ用に設けられている。誘導部材３８は、円筒状に形成され、貯留部３５に隣接した底面に挿通して配設されている。この貯留部３５から隣接した底面に溢れ出した水１０２を、保存容器３６に誘導して貯める。
【００３６】
洗浄装置１の記録消去部４０は、搬出部５０の中に設けられ、被洗浄物１１０の表面に記録された目視可能な情報からなる記録を除去する。
【００３７】
具体的には、記録消去部４０は、消去ヘッド４１および支持ローラー４２を設けている。消去ヘッド４１は、被洗浄物１１０の表面に当接した状態で、その表面に印字等された記録を高熱により消去する。支持ローラー４２は、消去ヘッド４１と対向して設けられ、消去ヘッド４１が被洗浄物１１０の表面に当接することを支持する。
【００３８】
洗浄装置１の搬出部５０は、洗浄および記録除去が完了した被洗浄物１１０を搬出する。
【００３９】
具体的には、搬出部５０は、第１上部搬出ローラー５１、第１下部搬出ローラー５２、上部クリーニングローラー５３、下部クリーニングローラー５４、第２上部搬出ローラー５５、第２下部搬出ローラー５６、および載置第５７を設けている。第１上部搬出ローラー５１および第１下部搬出ローラー５２は、対向して設けられ、洗浄部２０から搬出された被洗浄物１１０を受け取る。上部クリーニングローラー５３および下部クリーニングローラー５４は、対向して設けられ、第１上部搬出ローラー５１および第１下部搬出ローラー５２から送り出された被洗浄物１１０の表面に残留した粉塵等を除去する。
【００４０】
第２上部搬出ローラー５５および第２下部搬出ローラー５６は、対向して設けられ、上部クリーニングローラー５３および下部クリーニングローラー５４から送り出された被洗浄物１１０を載置台５７に送り出す。載置台５７は、洗浄および記録除去が完了した複数の被洗浄物１１０を積層して載置する。
【００４１】
上述した第１実施形態に係る洗浄装置１によれば、以下の作用および効果を奏する。
【００４２】
洗浄装置１は、洗浄部２０と、洗浄媒体供給部３０と、を有する。洗浄部２０は、表面に洗浄媒体を保持可能な第１ローラー２１と、第１ローラー２１の下方に設けられ表面に洗浄媒体を保持可能な第２ローラー２２とを含むローラー対を設けている。ローラー対の間に平板状の被洗浄物１１０を通して当該被洗浄物１１０を搬送し、被洗浄物１１０の平面を洗浄する。洗浄媒体供給部３０は、第１ローラー２１の上方から、当該第１ローラー２１の表面に洗浄媒体を供給する。
【００４３】
このように構成すれば、洗浄媒体供給部３０が、第１ローラー２１の上方から当該第１ローラー２１の表面に洗浄媒体を供給する。第１ローラー２１に供給された洗浄媒体は、第１ローラー２１が第２ローラー２２に接触することにより第２ローラー２２にも供給される。加えて、第１ローラー２１に供給された洗浄媒体は、重力により第２ローラー２２に落下することもある。したがって、上方から洗浄媒体が供給される第１ローラー２１と、第１ローラー２１の下方に設けられ洗浄媒体が供給される第２ローラー２２は、短時間でそれぞれ洗浄媒体を十分に保持して、被洗浄物１１０を洗浄できる。
【００４４】
さらに、洗浄装置１において、洗浄媒体供給部３０は、重力により第１ローラー２１から下方に移動した洗浄媒体を第１ローラー２１への供給に用いることにより、洗浄媒体を循環させる構成とできる。
【００４５】
このように構成すれば、洗浄媒体供給部３０が洗浄媒体を循環して再利用することから、洗浄媒体を廃棄して新しい洗浄媒体を供給する場合と比較して、洗浄媒体のコストを抑制できる。さらに、このように構成すれば、洗浄装置１は、洗浄媒体供給部３０に新しい洗浄媒体を常に補給する必要がないことから、使い捨て可能なように十分な量の洗浄媒体が備蓄され排水機能も備えた工場内に据え置く必要がなく、必要に応じて持ち運んで使用できる。すなわち、洗浄媒体供給部３０は、洗浄媒体を循環させて繰り返し用いる構成にできる。洗浄媒体供給部３０は、重力により第１ローラー２１から下方に移動した洗浄媒体は、第２ローラーを介して循環または第２ローラーを介することなく循環し、再度、第１ローラー２１への供給に用いる。
【００４６】
さらに、洗浄装置１において、洗浄媒体供給部３０は、第１ローラー２１または第２ローラー２２から落下した洗浄媒体を受けて貯める貯留部３５を有する構成としてもよい。貯留部３５に設けられた所定の高さの側壁３５ａから溢れ出した洗浄媒体を循環させて用いる。
【００４７】
このように構成すれば、被洗浄物１１０の洗浄に伴って当該洗浄媒体に固形塵が混入してしまった場合に、その固形塵を貯留部３５に沈殿させて留置し、清浄な洗浄媒体のみ循環させることができる。したがって、洗浄媒体に固形塵が混入しても、洗浄媒体から固形塵を除去して再利用できる。特に、重くて沈殿し易い金属の切断屑からなる固形塵等が洗浄媒体に混入した場合に、その切削屑を貯留部３５に容易に沈殿させて除去できる。
【００４８】
さらに、洗浄装置１において、洗浄媒体供給部３０は、保存容器３６と誘導部材３７とを有する構成としてもよい。保存容器３６は、貯留部３５から溢れ出した洗浄媒体と共に循環用の洗浄媒体を保存する。誘導部材３７は、貯留部３５から溢れ出した洗浄媒体を、保存容器３６の底面近傍まで誘導する。
【００４９】
このように構成すれば、誘導部材３７が貯留部３５から溢れ出した洗浄媒体を保存容器３６の底面近傍まで誘導することから、保存容器３６に保存されるたとえば洗浄液１０１が泡立つことを防止できる。
【００５０】
さらに、洗浄装置１において、ローラー対は、第１ローラー対２０ａと、当該第１ローラー対２０ａに対して被洗浄物１１０の搬送方向下流側に配設される第２ローラー対２０ｂとを含む構成としてもよい。第１ローラー対２０ａには、洗浄媒体として洗浄液１０１が供給される。第２ローラー対２０ｂには、洗浄媒体として水１０２が供給される。
【００５１】
このように構成すれば、まず被洗浄物１１０を洗浄液１０１が供給される第１ローラー対２０ａで洗浄し、その被洗浄物１１０を水１０２が供給される第１ローラー対２０ａで濯ぎ洗いできる。したがって、被洗浄物１１０を効率良く洗浄できる。特に、油等で汚染された被洗浄物１１０を洗浄するような場合に、洗浄液１０１で洗浄した後に水１０２を用いて濯ぎ洗いすると、十分に汚染を除去できる。
【００５２】
さらに、洗浄装置１において、洗浄媒体供給部３０は、被洗浄物１１０の搬送方向上流側に向かって開口する開口部３１ａを有する構成としてもよい。開口部３１ａは、洗浄液１０１を第１ローラー対２０ａの第１ローラー２１に向かって供給する。
【００５３】
このように構成すれば、被洗浄物１１０の搬送方向上流側に向かって第１ローラー対２０ａに供給された洗浄液１０１が、搬送方向下流側に配設された第２ローラー対２０ｂまで飛散しない。第２ローラー対２０ｂは、表面に濯ぎ用の水１０２を保持するので、水１０２に洗浄液１０１が混入すると、濯ぎ機能が低下する。上記構成により、濯ぎ機能の低下を防止できる。
【００５４】
また、このように構成すれば、洗浄液１０１は、開口部３１ａを所定の角度で配設することによって、洗浄液１０１を除去する第３ローラー対２０ｃに飛散しない。したがって、第３ローラー対２０ｃを通過し洗浄液１０１が除去される被洗浄物１１０に、新たな洗浄液１０１が付着することを防止できる。さらに、洗浄液１０１は、開口部３１ａを所定の角度で配設することによって、搬入部１０に飛散しない。したがって、たとえば、搬入部１０の電気系の機器が短絡等することを防止できる。
【００５５】
さらに、洗浄装置１において、洗浄媒体供給部３０は、被洗浄物１１０の搬送方向下流側に向かって開口する開口部３３ａを有する構成としてもよい。開口部３３ａは、水１０２を第２ローラー対２０ｂの第１ローラー２１に向かって供給する。
【００５６】
このように構成すれば、被洗浄物１１０の搬送方向下流側に向かって第２ローラー対２０ｂに供給された水１０２が、搬送方向上流側に配設された第１ローラー対２０ａまで飛散しない。第１ローラー対２０ａは、表面に洗浄用の洗浄液１０１を保持するので、洗浄液１０１に水１０２が混入すると、洗浄機能が低下する。上記構成により、洗浄機能の低下を防止できる。被洗浄物１１０の搬送方向下流側に向かって第２ローラー対２０ｂに供給された水１０２は、開口部３３ａを所定の角度で配設することによって、第４ローラー対２０ｄに飛散させない。
【００５７】
また、このように構成すれば、水１０２は、開口部３３ａを所定の角度で配設することによって、洗浄液１０１を除去する第３ローラー対２０ｃに飛散しない。したがって、第３ローラー対２０ｃを通過し洗浄液１０１が除去される被洗浄物１１０に、水１０２が付着することを防止できる。水１０２は第４ローラー対２０ｄに対しても飛散しない。
【００５８】
さらに、洗浄装置１において、洗浄部２０は、第１ローラー対２０ａと第２ローラー対２０ｂとの間に配設され、被洗浄物１１０を搬送すると共に洗浄液１０１を除去する第３ローラー対２０ｃを有する構成としてもよい。
【００５９】
このように構成すれば、被洗浄物１１０を洗浄液１０１が供給される第１ローラー対２０ａで洗浄した後、その被洗浄物１１０に残留した洗浄液１０１を除去してから、被洗浄物１１０を水１０２が供給される第２ローラー対２０ｂで濯ぎ洗いできる。したがって、被洗浄物１１０を非常に効率良く洗浄できる。特に、循環させた水１０２を用いる場合に、その水１０２が洗浄液１０１で汚染されないことから、被洗浄物１１０の濯ぎ効率が低下することを防止できる。
【００６０】
さらに、洗浄装置１において、第１ローラー２１と第２ローラー２２とは外径が異なる構成としてもよい。
【００６１】
このように構成すれば、洗浄装置１を長期間にわたり使用しなかったことで第１ローラー２１と第２ローラー２２とが凹んだ状態に変形している場合でも、第１ローラー２１と第２ローラー２２による挟持力の極端な低下を防止できる。すなわち、第１ローラー２１と第２ローラー２２とは外径が異なることから、１回転毎にそれぞれ変形した部分がずれる。毎回転時に第１ローラー２１および第２ローラー２２の変形部分同士により被洗浄物１１０を挟持することがないので、第１ローラー２１と第２ローラー２２との変形が回復するために暫く時間が掛かるとしても、洗浄装置１を暖気運転させることなく、直ちに使用可能な状態にできる。
【００６２】
さらに、洗浄装置１において、ローラー対は、複数組設けられ、異なる組間において、第１ローラー２１同士または第２ローラー２２同士を相互に交換可能な構成としてもよい。
【００６３】
このように構成すれば、交換が必要な程度に汚染された第１ローラー２１または第２ローラー２２を取り外して廃棄した上で、まだ使用できる程度の第１ローラー２１または第２ローラー２２を取り付けて用いることができる。特に、たとえば、洗浄液１０１が供給され汚染が進んだ第１ローラー対２０ａの第１ローラー２１を取り外し、その取り外した箇所に水１０２が絞っていた相対的に汚染されていない第４ローラー対２０ｄの第１ローラー２１を取り付けて用いれば、第１ローラー２１の交換本数を減らすことができる。すなわち、洗浄液１０１が供給されていた第１ローラー対２０ａの第１ローラー２１と、水１０２を絞っていた第４ローラー対２０ｄの第１ローラー２１とを一度に全て取り替えずに、汚れ具合によって使いまわせば、第１ローラー２１の交換頻度を下げることができる。第２ローラー２２についても、第１ローラー２１と同様の効果に、交換頻度を下げることできる。
【００６４】
（第２実施形態）
第２実施形態に係る洗浄装置２について、図３を参照しながら説明する。第２実施形態においては、第１実施形態と同様の構成からなるものについて、同一の符号を使用し、前述した説明を省略する。
【００６５】
図３は、洗浄装置２を示す側面図である。
【００６６】
第１実施形態に係る洗浄装置１は、洗浄工程の２組の第１ローラー対２０ａおよび濯ぎ工程の２組の第２ローラー対２０ｂはそれぞれ同じ速度で回転されている。一方、第２実施形態に係る洗浄装置２では、２組の第１ローラー対２０ａに代えて、洗浄工程に上流ローラー対２０ｅおよび下流ローラー対２０ｆを設け、それぞれを異なる速度で回転させている。また、濯ぎ工程においても、２組の第２ローラー対２０ｂに代えて、上流ローラー対２０ｇおよび下流ローラー対２０ｈを設けている。
【００６７】
以下では、上流ローラー対２０ｅおよび下流ローラー対２０ｆに注目して説明する。上流ローラー対２０ｇおよび下流ローラー対２０ｈも同様に速度を異ならせられる。洗浄装置２の洗浄部２０において、下流ローラー対２０ｆは、たとえばステッピングモーターのパルス数やギア数を設定することによって、上流ローラー対２０ｅよりも早い回転速度で回転させている。さらに、上流ローラー対２０ｅは、たとえばローラー同士をより強力に付勢させた状態で保持することにより、下流ローラー対２０ｆよりも被洗浄物１１０を挟持する挟持力が強くなるように配設している。上流ローラー対２０ｅおよび下流ローラー対２０ｆの構成および効果は、上流ローラー対２０ｇおよび下流ローラー対２０ｈにも適用される。
【００６８】
上述した第２実施形態に係る洗浄装置２によれば、前述した第１実施形態に係る作用効果に加えて、さらに以下の作用および効果を奏する。
【００６９】
洗浄装置２は、上流ローラー対２０ｅと下流ローラー対２０ｆとを有している。上流ローラー対２０ｅは、表面に洗浄媒体を保持する一対のローラー（第１ローラー２１および第２ローラー２２に相当）間に平板状の被洗浄物１１０を通して当該被洗浄物１１０を搬送し、被洗浄物１１０の平面を洗浄する。下流ローラー対２０ｆは、上流ローラー対２０ｅに対して、被洗浄物１１０の搬送方向の下流側で隣り合い、表面に洗浄媒体を保持する一対のローラー（第１ローラー２１および第２ローラー２２に相当）間に平板状の被洗浄物１１０を通して当該被洗浄物１１０を搬送し、被洗浄物１１０の平面を洗浄する。ここで、上流ローラー対２０ｅと下流ローラー対２０ｆとは異なる速度で回転する。
【００７０】
このように構成すれば、被洗浄物１１０を搬送する上流ローラー対２０ｅと下流ローラー対２０ｆとは異なる速度で回転する。回転速度が異なるので、下流ローラー対２０ｆおよび上流ローラー対２０ｅの一方は、被洗浄物１１０の搬送速度と異なる速度で回転し、被洗浄物１１０の表面を空回りする。被洗浄物の表面において、上流ローラー対２０ｅまたは下流ローラー対２０ｆが空回りすることによって、汚染物を擦り落として効果的に除去できる。
【００７１】
さらに、洗浄装置２において、下流ローラー対２０ｆの方が上流ローラー対２０ｅよりも早い回転速度で回転させる構成に加えて、上流ローラー対２０ｅの方が下流ローラー対２０ｆよりも挟持力が強い構成としてもよい。
【００７２】
このように構成すれば、相対的に回転速度が低い上流ローラー対２０ｅの搬送速度により被洗浄物１１０が搬送される状態で、下流ローラー対２０ｆが被洗浄物１１０の表面を空回りすることになる。上流で上流ローラー対２０ｅにより丁寧に洗浄液が塗布された被洗浄物１１０上を、高速で回転する下流ローラー対２０ｆが空転するので、空回りする下流ローラー対２０ｆにより汚染物を擦り落として効果的に除去できる。
【００７３】
そのほか、本発明は、特許請求の範囲に記載された構成に基づき様々な改変が可能であり、それらについても本発明の範疇である。
【００７４】
洗浄装置２によって洗浄する被洗浄物１１０は、平板状のものであれば特に限定されることはなく、たとえば、情報が感熱式等で記録されるもの、情報を表面にサインペン等で記録するもの、または情報を何ら記録しないものでもよい。
【符号の説明】
【００７５】
１，２  洗浄装置、
１０  搬入部、
１１  搬入台、
１２  繰出ローラー、
１３  上部分離ローラー、
１４  下部分離ローラー、
１５  上部搬入ローラー、
１６  下部搬入ローラー、
２０  洗浄部、
２０ａ  第１ローラー対、
２０ｂ  第２ローラー対、
２０ｃ  第３ローラー対、
２０ｄ  下流ローラー対、
２０ｅ，２０ｇ  上流ローラー対、
２０ｆ，２０ｈ  下流ローラー対、
２１  第１ローラー、
２２  第２ローラー、
２３，２４  絞りローラー、
３０  洗浄媒体供給部、
３１，３３  循環用配管、
３１ａ，３３ａ  開口部、
３１ｂ，３３ｂ  濾過フィルタ、
３２，３４  ポンプ、
３５  貯留部、
３５ａ  側壁、
３６  保存容器、
３６ａ  濾過フィルタ、
３７，３８  誘導部材、
４０  記録消去部、
４１  消去ヘッド、
４２  支持ローラー、
５０  搬出部、
５１  第１上部搬出ローラー、
５２  第１下部搬出ローラー、
５３  上部クリーニングローラー、
５４  下部クリーニングローラー、
５５  第２上部搬出ローラー、
５６  第２下部搬出ローラー、
５７  載置台、
１０１  洗浄液、
１０２  水、
１１０  被洗浄物。
【図１】
2014054589.tif 000003
【図２】
2014054589.tif 000004
【図３】
2014054589.tif 000005